【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
コネクターコンポーネントであって、セプタムホルダー、および、少なくとも１つの中空針を含み、前記セプタムホルダーおよび前記少なくとも１つの中空針が外側ハウジングに覆われており；
前記セプタムホルダーは、セプタム、円筒形状の環状本体、および、下方に突出している前記本体に固定して取り付けられる少なくとも１つの延長された弾性アームであって、前記少なくとも１つのアームのそれぞれは、円形の外側に向いている後側および尖った内側に向いている前側を有する遠位の拡大されたエレメントを備える、アーム、を備え、
前記外側ハウジングは、開放された遠位（底部）末端、および、流体移送システムの第一のコンポーネントに接続するように適合された近位（上側）部分、それぞれのアームの底部において遠位の拡大されたエレメントの前記の円形の外側に向いている後側を保持するように構成されたソケット、前記ソケットは、前記外側ハウジングの内壁（ｉｎｎｅｒ  ｗａｌｌ）の遠位端に位置する、および、前記外側ハウジングの内部表面に形成されたガイドチャネル、前記ガイドチャネルは、前記コネクターコンポーネントおよびアダプターコンポーネントの間の接続または切断プロセス中に、前記アームによって前記セプタムホルダーに取り付けられた前記アダプターコンポーネントおよび前記セプタムホルダーの前記アームの前記外側ハウジングの内部での上方および下方への移動をガイドするように構成される、を備え、
ここで、前記アームの遠位端における前記の拡大されたエレメントは、前記接続または切断プロセス中に、前記アームが前記外側ハウジングの内部で上方および下方へ移動する際に、前記セプタムホルダーの前記本体の円形の断面の弦に平行な線に沿って前後に動く、
コネクターコンポーネント。
【請求項２】
請求項１に記載のコネクターコンポーネントであって、前記外側ハウジングは、概して四角い断面の直角柱の形状を有する、
コネクターコンポーネント。
【請求項３】
請求項１のコネクターコンポーネントであって、
前記外側ハウジングの前記近位部分は、以下の構造：
前記流体移送デバイスの前記の第一のコンポーネント上の適合する円柱状または円錐形の突起をその中に圧入、糊付け、または、レーザーまたは超音波溶接することのできる、直線状または先細の内部壁（ｉｎｔｅｒｉｏｒ  ｗａｌｌ）を備えるボア；
標準的な雄または雌ルアー型コネクター；および、
前記コネクターの外側本体の垂直な対称軸の周りで前記流体移送デバイスの前記の第一のコンポーネントの一方向または双方向旋回を可能にするルアーコネクター、
の１つを備えるように製造される、
コネクターコンポーネント。
【請求項４】
請求項１のコネクターコンポーネントであって、
前記コネクターコンポーネントが、流体移送システムのいかなる他のコンポーネントとも接続されない場合、前記アームの遠位の拡大されたエレメントの前記の円形の後側は、外側ハウジングの前記の遠位開放末端において前記ソケット内に係合されて、前記の針の先端は、前記セプタムによって底部において外側から単離されていて、前記セプタムホルダー内の前記挿入物内の前記ボアの前記壁は、前記の針のシャフト上を放射状に押して、それにより、流体が前記針の内部に侵入または存在するのを防止する、
コネクターコンポーネント。
【請求項５】
請求項１のコネクターコンポーネントであって、
それぞれのアームおよび拡大されたエレメントは、非依存性ガイドチャネルのそれ自体のセットを備え、他方のアームおよびガイドチャネルから独立に操作することができ、それにより、前記の拡大されたエレメントによって加えられる力による前記外側ハウジングまたは前記ガイドチャネルの変形を取り除く、
コネクターコンポーネント。
【請求項６】
請求項１のコネクターコンポーネントであって、
前記セプタムホルダーは、前記本体中に適合された挿入物を備え、
前記挿入物は、ニードル弁のシートを形成する１つまたは２つのボアを備える、
コネクターコンポーネント。
【請求項７】
請求項１のコネクターコンポーネントであって、
前記セプタムは、前記セプタムハウジングの本体の底部の外側に取り付けられる、
コネクターコンポーネント。
【請求項８】
請求項１のコネクターコンポーネントであって、
前記セプタムハウジングは、対として配置された２つのアームを備え、
一方のアームは、前記セプタムホルダーの同一側に他方のアームと並んで位置する、
コネクターコンポーネント。
【請求項９】
請求項１に記載のコネクターコンポーネントであって、
前記セプタムハウジングは、４つのアームを備え、
前記アームは、前記セプタムホルダーの逆側に位置する２つの対で配置される、
コネクターコンポーネント。
【請求項１０】
旋回コネクターに取り付けられた流体移送装置のコンポーネントの一方および双方向の旋回を可能にする構造をした機械装置を備える旋回コネクターであって、
前記機械装置は：
−前記旋回コネクターのハウジングの近位端の内側壁（ｉｎｓｉｄｅ  ｗａｌｌ）の上部付近の、少なくとも１つの歯；ルアーエレメントの下側末端を収容するための凹所およびＯ−リングのためのシートを備える、支持構造；および、前記支持構造の底部付近の水平フランジの上部に作られた、少なくとも１つの歯；および
−雄ルアーエレメントを接続することができる雄ネジを備える雌ルアーエレメント；それらの間に環状空間を有する上側フランジおよび下側フランジ、および、前記下側フランジの下側表面上の少なくとも１つの歯を備える、前記雌ルアーエレメントの底部；
からなり、
ここで、前記旋回コネクターのハウジングの前記内側壁の上部付近の前記の歯は、前記雌ルアーエレメントを、前記旋回コネクターの上部の内側に保持するように構成されて；
ここで、前記旋回コネクターの前記ハウジングの前記支持構造上の前記歯は、反時計回りの方向で上向きに傾斜して垂直の背面で終わる上側表面を備える三角形状を有し、および、前記雌ルアーエレメントの前記下側フランジの底部の歯は、時計回りの方向に上向きに傾斜して垂直の背面で終わる上側表面を備え；
ここで、前記歯は、前記ルアーエレメントが反時計回りの方向で前記旋回コネクターハウジングに対して回転する場合は、その結果、両方のフランジ上の前記歯の前記傾斜表面が互いの上をスライドして回転がこの方向で行なわれるのを可能にして、前記ルアーエレメントが時計回りの方向で前記旋回コネクターハウジングに対して回転される場合は、その結果、両方のフランジ上の前記歯の前記垂直表面が互いに対して突き上げて前記雌ルアーエレメントおよび旋回コネクターハウジングの間のこの方向での相対的移動を防止するように、それらのそれぞれのフランジ上に配置および配向され、
ここで、前記の旋回コネクターは、前記の旋回コネクターの前記ハウジングの近位端の内側壁の上部付近の前記歯の底部と前記雌ルアーエレメントの前記上側フランジの上部との間の空間を備え、
前記ハウジングの前記支持構造上の前記歯が、前記雌ルアーエレメントの前記下側フランジの前記底部上の前記歯から垂直に離れるとすぐに、それらが互いと相互作用することができないように、前記ルアーエレメントが、この空間の高さを持ち上げられるのを可能にして、それにより、前記雌ルアーエレメントが、前記旋回コネクターハウジングに対して時計回りに回転されるのを可能にする、
旋回コネクター。
【請求項１１】
工場で組み立てられる（ｆａｃｔｏｒｙ  ａｓｓｅｍｂｌｅｄ）シリンジコネクターユニットであって：
−それらの間に環状空間を有する上側および下側フランジを備えるシリンジの底部にスロートを備える、シリンジ；および
−前記のハウジングの近位の内壁の上部付近から内側に突出している少なくとも１つの歯を備えるハウジングを備える、コネクター；
を備え、
ここで、前記シリンジの前記遠位端および前記コネクターの前記近位端は、それらが十分な力で一緒に押された場合に曲がるプラスチックで製造され、それにより、前記の少なくとも１つの歯が、前記シリンジおよび前記コネクターを一緒に保持する前記環状空間内に位置するまで、前記下側フランジが前記の少なくとも１つの歯を通過するのを可能にし、それにより、前記のシリンジおよびコネクターがそれらの共通の縦対称軸の周りで時計回りまたは反時計回りの方向のいずれかで互いに対して旋回するのを可能にする、
シリンジコネクターユニット。
【請求項１２】
請求項１に記載のコネクターコンポーネントおよび流体移送デバイスの第二のコンポーネントの間の接続のためのアダプターコンポーネントであって、
前記アダプターコンポーネントは、前記セプタムホルダーと連結する構造をした機構を備える外側表面を有する延長された拡張を備え、前記機構は、
ａ）前記コネクターコンポーネントの前記セプタムホルダーが２つのアームを備える場合は、
前記セプタムホルダーと連結する構造をした前記機構は、前記の２つのアームのそれぞれに関して：前記アームおよび前記アームの前記遠位端における拡大されたエレメントのための空間（ｒｏｏｍ）が前記接続／切断プロセス中に移動するのを可能にするように適合された、垂直な溝および切り欠き部、および、前記の延長された拡張の上部付近に位置する階段様構造を備え、
前記階段様構造は：前記の垂直な溝から離れるように向いた前記階段様構造の横の第一の平面の垂直表面（前記の第一の平面の垂直表面は、前記コネクターコンポーネント内のガイドチャネルに沿ってスライドするように構成される）；前記の垂直な溝の方に向いた前記階段様構造の横の第二の平面の垂直表面（前記の第二の平面の垂直表面は、前記アームの前記遠位端における前記の拡大されたエレメントの前記の尖った内側に向いている前側の先端に沿ってスライドするように構成される）；および、前記アームの前記遠位端における前記の拡大されたエレメントの前記の尖った内側に向いている前側の上面に係合するように構成された、平面の水平底面、を備える、および、
ｂ）前記コネクターコンポーネントの前記セプタムホルダーが４つのアームを備える場合は、
前記セプタムホルダーと連結する構造をした前記機構は、２つのアームからなるそれぞれの対に関して、前記の延長された拡張の上部付近に位置する家の形状をした構造を備え、
前記の家の形状をした構造は、前記の対の２つのアームの前記遠位端における前記の拡大されたエレメントの前記の尖った内側に向いている前側の先端に沿ってスライドするように構成された２つの平面の垂直表面；および、前記の対の２つのアームの前記遠位端における前記の拡大されたエレメントの前記の尖った内側に向いている前側の前記上面に係合するように構成された平面の水平底面を備える、
の１つを備える、
アダプターコンポーネント。
【請求項１３】
請求項１２のアダプターコンポーネントであって、
バイアル、ＩＶバッグ、およびＩＶラインの１つと接続するように構成された、
アダプターコンポーネント。
【請求項１４】
閉鎖系液体移送器具において使用するために構成されるシリンジであって、
前記シリンジは、その近位端にシールエレメントを備え、
前記シールエレメントは、その中央にホールを備えてそこをピストンロッドが通過する円板形状の環状シールアセンブリ、および、前記ピストンロッドの周りをシールするＯ−リングからなり；
前記シリンジは、前記シールエレメントが、所定の位置に保持されて、レーザーまたは超音波溶接、熱溶接、および糊付けの少なくとも１つによって、前記シリンジのバレルの内側に密封されることを特徴とする、
シリンジ。